(57)【特許請求の範囲】
【請求項１】
子機と親機とからなり、子機に設けられた呼出ボタンの操作により親機側で訪問者に対し応対可能であり、子機側に設置されているカメラの画像を記録部に記録し、さらに暗証番号によってドアを解錠する機能を有するドアホンシステムにおいて、
前記暗証番号を入力して解錠した後、特定の操作を行うことにより、暗証番号入力により解錠するとともに録画するか否かを設定または解除できる設定解除手段を設けることにより、解錠して録画した後に解錠時の録画設定を解除可能にしたことを特徴とする録画機能を備えたドアホンシステム。
【請求項２】
前記録画を行う記憶部は、最大メモリ容量を越えたとき、順次上書きとなるように制御されることを特徴とする請求項１記載の録画機能を備えたドアホンシステム。
【発明の詳細な説明】
【０００１】
【発明の属する技術分野】
本発明は、ドア側に子機を室内に親機を設置してなり、呼出し機能、撮影記録機能および暗証番号によるドア解錠機能を有するドアホンシステムに関する。
【０００２】
【従来の技術】
来訪者により呼出ボタンが押された場合（特開平３−１２４１８８）や外部センサによってドアの前に立つ人物が検知された場合（特開平３−１９２９８６）に自動的に来訪者を撮影録画するドアホン装置が提案されている。
【０００３】
【発明が解決しようとする課題】
上記装置において、暗証番号入力により解錠して入る場合、誰が入ったかを確認できるシステムが要請されている。従来のシステムでは、訪問者ではないので呼出ボタンが押されないことや、外部センサで録画しても室内に入ったか否かまで確認できないという問題があるからである。
【０００４】
また、画像を記録するメモリは、価格，形状などの制限から大容量のものを用いることができるとは限らない。そこで、通常、メモリ回路の最大容量を越えた場合には、上書き動作を行うことによって不足メモリ容量を補っている。
ところが、訪問者が多かったり、暗証入力で解錠して入るときに録画できるように設定することを考えた場合、部内者の出入りが激しかったりするときには、直ぐに上書きされることとなるので、不都合が生じて後からある時間に訪問した者や出入りした者をチェックしたいときには、その画像が既に消去されてしまっていることが考えられる。
【０００５】
本発明の目的は上記問題を解決するもので、通常の暗証番号による解錠時における１駒録画を無効にできる機能を設けることにより、人の出入りが激しい時間帯では解錠時の録画を禁止し、夜間など人の出入りが少ない場合には解錠時の録画を有効にして防犯の機能を有効に使用できるようにするとともに、誰が無効にしたかを記録可能にすることにより、防犯機能の強化を図ったドアホンシステムを提供することにある。
【０００６】
【課題を解決するための手段】
前記目的を達成するために本発明によるドアホンシステムは、子機と親機とからなり、子機に設けられた呼出ボタンの操作により親機側で訪問者に対し応対可能であり、子機側に設置されているカメラの画像を記録部に記録し、さらに暗証番号によってドアを解錠する機能を有するドアホンシステムにおいて、
前記暗証番号を入力して解錠した後、特定の操作を行うことにより、暗証番号入力により解錠するとともに録画するか否かを設定または解除できる設定解除手段を設けることにより、解錠して録画した後に解錠時の録画設定を解除可能に構成されている。
上記構成において前記録画を行うメモリ部は、最大メモリ容量を越えたとき、順次上書きとなるように制御される。
【０００７】
【作用】
上記構成によれば、訪問者や部内者の出入りが多いか少ないかを見極めて本システムの録画設定解除を有効に用いることができ、さらに録画解除した者を記録できるため、不都合が生じたときの解明に使用でき、防犯機能が向上する。
【０００８】
【発明の実施の形態】
以下、図面を参照して本発明の実施の形態を詳しく説明する。
図１は本発明による録画機能を備えたドアホンシステムの使用例を説明するための図である。
暗証番号を知る者４は、まず、ドアホン装置１の下面に設けられているテンキーカバーのつまみ１ｂを引っ張ることによりテンキーカバー１ａを（ａ）に示すように開く。
つぎに例えば暗証番号が「３」「２」「１」の場合、「３，２，１，＃  」を押す。暗証番号が正しい場合、表示ランプが点灯し解錠されたことを示す。
【０００９】
解錠によりドアを開けることができ入室できる。
解錠後、一定時間（１０秒程度まで設定できる）後に自動的に旋錠される。
暗証番号の入力間違いはクリアボタンで再度入力でき、一定回数間違い入力をすると、テンキー操作は受け付けなくなる。解錠後、一定時間以上ドアが開放状態になった場合には、親機側でアラームが鳴動する。
【００１０】
ここで、録画設定解除手段により、解錠とともに録画を行うように設定されている場合には、暗証番号入力開始によってカメラ２の撮像部のＣＣＤに電源が投入される。したがって、暗証番号の入力を終了し確定したときには、ＣＣＤで暗証番号を知る者４の姿を確実に撮影し１駒記録することができる。カメラ２はドアホン装置１に内蔵され、赤外照明となっているので、暗証番号を知る者４は撮影されていることに気付くことはない。
【００１１】
暗証番号を知る者４が解錠時の録画設定を無効にする場合は、暗証番号を入力して解錠した後、特定の操作をすることにより行うことができる。
（ｂ）に示すように例えば、特定操作として××＃と入力することによりブザーがピーピーピーと鳴滅して設定または解除操作が可能になる。そして、解除の操作として△△＃を押すとピーの連続音が鳴動する。再度、△△＃を入力することによりランプが点滅して１駒自動録画設定の解除が記録される。
【００１２】
図２は、本発明による録画機能を備えたドアホンシステムの概略ブロック図である。
子機１側は子機ＣＰＵ，周辺回路７とカメラのＣＣＤ８を含んで構成されている。子機ＣＰＵ，周辺回路７には呼出ボタン入力，キーマトリックスＳＷ入力部と、解錠出力，サイレントアラーム出力をそれぞれ備えている。また、親機ＣＰＵ，周辺回路９にチャイム音有り録画指示信号とチャイム音無し録画指示信号（暗証番号により解錠する場合）を送出することができる。チャイム音有り録画指示信号とチャイム音無し録画指示信号は、２つの信号線でそれぞれ送出され、オンオフ信号のＬ→Ｈレベル変化か、またはＨ→Ｌレベル変化で指示するようになっている。
【００１３】
図３は、本発明による録画機能を備えたドアホンシステムの回路の実施の形態を示すブロック図である。
子機の各回路は子機ＣＰＬＤ（CMOS PROGRAMMABLE LOGIC DEVICE) １２により相互に接続されている。Ｅ2 ＰＲＯＭ１５には警告の時間，暗証番号，解錠時の自動録画有り、無しの設定データなどが格納され、子機ＲＯＭ１３には子機全体を制御するプログラムなどが格納されている。子機ＲＡＭ１４は、データを処理するための作業用領域であり、この作業領域において例えば信号にフラグを立てるなどの処理が行われる。子機スピーカ２０と子機マイク２１により親機と通話が可能である。
子機ＣＰＵ１１は、録画が設定されている場合には暗証番号が入力されたときチャイム音無しの録画指示と解錠動作を行う。録画が設定されていない場合には、解錠動作のみを行う。また、設定によりチャイム音有り録画指示信号などの呼出動作，自己の意思によらない暗証番号入力による解錠動作のとき、アラーム出力とチャイム音無し録画指示信号（子機ＣＰＬＤ１２の出力ＳＡ）を送出する制御を行う。
【００１４】
親機の各回路は親機ＣＰＬＤ（CMOS PROGRAMMABLE LOGIC DEVICE) ３２により相互に接続されている。フラッシュＲＯＭ３５は、子機側から送られてくる撮影画像を録画するためのメモリである。親機ＲＯＭ３３には親機全体を制御するプログラムなどが格納されている。親機ＲＡＭ３４は、データを処理するための作業用領域であり、この作業領域において例えば信号にフラグを立てるなどの処理が行われる。
親機ＣＰＵ３１により子機に内蔵されている電源回路１９が制御され、カメラ撮像部となるＣＣＤ８と赤外ＬＥＤ照明部１６が起動させられる。ＣＣＤ８では１駒の画像信号が取り入れられ、この１駒画像信号は、デコーダ３９でディジタル信号に変換される。そして、親機ＣＰＵ３１の制御の下に、ディジタル信号に変換された１駒画像信号は、ＪＰＥＧ変換器４２によりＪＰＥＧ形式のファイルに変換され、年月日や時刻情報とともに、親機ＲＡＭ３４を経由してフラッシュＲＯＭ３５に記録される。
【００１５】
カメラからの画像信号はエンコーダ３６でアナログ信号に復元されてオーバーレイＲＡＭ４１を介したスーパーインポーズとともにモニタ３８に表示される。また、外部ＶＴＲ３７に接続して記録することもできる。年月日や時刻はリアルタイムクロックＩＣ４５より出力されるクロックから作られる。チャイム音はメロディＩＣにより作られ、スピーカ４６より出力される。親機の送受話器には親機スピーカ４９と親機マイク４７が内蔵され、子機と通話することができる。
なお、親機への画像信号入力として外部ＣＣＤ１７を増設することもできる。
【００１６】
設定解除手段は子機のテンキー，子機ＣＰＵ１１およびＥ2 ＰＲＯＭ１５の各機能により実現され、暗証番号入力による解錠後に、前述したような特定の操作、××＃を押すことにより設定解除の受け付けが可能となり、子機テンキーの△△＃または○○＃のいずれかを押すことにより解錠時の１駒自動録画の有り，無しの信号が子機ＣＰＵ１１の制御の下に子機ＣＰＬＤを介してＥ2 ＰＲＯＭ１５に記録される。
【００１７】
図４は、図３のドアホンシステムの動作を説明するためのフローチャートである。
電源オン（ステップ（以下「Ｓ」という）４０１）により親機の電源回路４３から親機ＣＰＵ３１などに電源が接続され、さらに子機ＣＰＵ１１に電力が供給される待機状態となる。カメラ部とモニタには電源は接続されていない。
子機ＣＰＵ１１は呼出ボタンがオンになったか否か監視している（Ｓ４０２）。訪問者があってオンになった場合には１駒撮影を含む呼出処理を行う（Ｓ４０３）。呼出処理は子機よりチャイム音有り録画指示信号を受けた親機がチャイム音の鳴動，ＣＣＤ電源のオン，ＣＲＴ電源のオンおよび１駒録画をする動作である。
【００１８】
呼出ボタンがオフの場合には、子機ＣＰＵ１１は操作部のテンキーが操作されたか否かを監視する（Ｓ４０４）。操作されていない場合にはＳ４１３に移行する。
テンキーが操作された場合には子機ＣＰＵ１１は電源回路１９を制御し、ＣＣＤ８および赤外ＬＥＤ照明部１６の電源を投入して撮影可能とする。
【００１９】
そして、暗証番号が正常に入力され有効か否かを判断する（Ｓ４０６）。無効の場合にはＣＣＤおよび赤外ＬＥＤ照明部の電源をオフ（Ｓ４０７）してＳ４０２に戻る。テンキーが１０秒以上途切れるか、押された暗証番号が無効である場合である。有効である場合には通常の解錠か否かを判断する（Ｓ４０８）。通常の解錠ではないと、判断した場合にはサイレントアラーム出力処理を行う（Ｓ４０９）。これにより１１０番通報がなされる。そしてＳ４１０に移行する。
一方、通常の解錠の場合にも、子機ＣＰＵ１１は録画が必要であるか否か、すなわち、自動録画が有効になっているか否かを判断する（Ｓ４１０）。Ｓ４０９からのサイレントアラームの場合と、１駒自動録画が有効になっている場合には親機ＣＰＵ３１にチャイム無し録画指示信号を送出し、これによりフラッシュＲＯＭ３５が１駒録画を行う（Ｓ４１１）。そして、解錠動作を行う（Ｓ４１２）。また、録画が必要でない場合はそのまま解錠動作を行う。
【００２０】
つぎに、暗証番号を入力した者が、××＃を押すという特定の操作をし、さらに解錠時の１駒録画設定または解除がなされたか否かを判断する（Ｓ４１３）。１駒録画設定または解除がなされた場合にはＥ2 ＰＲＯＭ１５にその情報を記録する（Ｓ４１４）。１駒録画設定を解除した場合には、必ず解除した者の姿が録画されることとなる。
一方、１駒録画設定または解除がなされない場合には、操作しなくなってから２分が経過したか否かを判断する（Ｓ４１５）。操作されなくなってから２分以内の場合にはＳ４０２の呼出ボタンがオンか否かの判断動作に戻る。操作をすることなく２分を経過した場合にはＣＲＴ電源をオフし（Ｓ４１６）、さらにＳ４０７のＣＣＤ電源オフに移行する。
上記実施の形態は、１駒録画の例であるが、２駒以上録画しても良い。
【００２１】
【発明の効果】
以上、説明したように本発明は、子機と親機とからなり、子機に設けられた呼出ボタンの操作により親機側で訪問者に対し応対可能であり、子機側に設置されているカメラの画像を記録部に記録し、さらに暗証番号によってドアを解錠する機能を有するドアホンシステムにおいて、暗証番号を入力して解錠した後、特定の操作を行うことにより、暗証番号入力により解錠するとともに録画するか否かを設定または解除できる設定解除手段を設けることにより、解錠して録画した後に解錠時の録画設定を解除可能にしてあるので、例えば、部内者の出入りの状況に応じ、解錠時の１駒自動録画を設定したり、解除したりすることにより、重要な画像を確実にメモリに残すことができる。また、解錠時の録画設定を解除した者が必ず記録されるため、後に問題が生じた場合、事件解明に役立たせることができる。
【図面の簡単な説明】
【図１】本発明による録画機能を備えたドアホンシステムの使用例を説明するための図である。
【図２】本発明による録画機能を備えたドアホンシステムの概略ブロック図である。
【図３】本発明による録画機能を備えたドアホンシステムの回路の実施の形態を示すブロック図である。
【図４】図３のドアホンシステムの動作を説明するためのフローチャートである。
【符号の説明】
１…ドアホン装置（子機）
２…カメラ
３…操作部
４…暗証番号を知る者
５…スピーカおよびマイク部
６…ドア
７…子機ＣＰＵ，周辺回路
８…ＣＣＤ
９…親機ＣＰＵ，周辺回路
１０…ＣＲＴ
１１…子機ＣＰＵ
１２…子機ＣＰＬＤ（CMOS PROGRAMMABLE LOGIC DEVICE)
１３…子機ＲＯＭ
１４…子機ＲＡＭ
１５…Ｅ2 ＰＲＯＭ
１６…赤外ＬＥＤ照明部
１７…外部ＣＣＤ
１９，４３…電源回路
２０…子機スピーカ
２１…子機マイク
２２…音声アンプ
３１…親機ＣＰＵ
３２…親機ＣＰＬＤ（CMOS PROGRAMMABLE LOGIC DEVICE)
３３…親機ＲＯＭ
３４…親機ＲＡＭ
３５…フラッシュＲＯＭ
３６…エンコーダ
３７…外部ＶＴＲ
３８…モニタ
３９…デコーダ
４０…フィールドメモリ
４１…オーバーレイＲＡＭ
４２…ＪＰＥＧ変換部
４４…メロディＩＣ
４５…リアルタイムクロックＩＣ
４６…スピーカ
４７…親機マイク
４８…音声アンプ
４９…親機スピーカ
【図１】
0003732663.tif 000002
【図２】
0003732663.tif 000003
【図３】
0003732663.tif 000004
【図４】
0003732663.tif 000005